(57)【要約】【課題】安定製造が得られ易く、かつ安価な二種以上のプラスチックフィルムを多層に積層し虹彩性多層フィルムを使用し、その裏面に赤外線吸収層と光吸収層で通常の状態では赤外線吸収層の存在を示唆しないようにし、偽造、変造、または改ざんなどの不正行為が困難な偽造防止媒体および偽造防止シールならびにそれらを用いた不正判定方法の提供にある。【解決手段】二種またはそれ以上の種類の薄膜が交互に積層された虹彩性多層フィルム３の裏面に、赤外線に対しては透過性を示す光吸収層４と該光吸収層と略同色の赤外線吸収層５とで一つの丸パターンと文字パターンを形成してなる偽造防止媒体１とするものである。【選択図】図１
2004333884.tif 000002
【特許請求の範囲】
【請求項１】
二種またはそれ以上の種類の薄膜が交互に積層された虹彩性多層フィルムの裏面に、目視に対しては隠蔽性を示すが赤外線に対しては透過性を示す光吸収層と該光吸収層と略同色の赤外線吸収層とで少なくとも一つのパターンを形成してなることを特徴とする偽造防止媒体。
【請求項２】
二種またはそれ以上の種類の薄膜が交互に積層された虹彩性多層フィルムの裏面に、目視に対しては隠蔽性を示すが赤外線に対しては透過性を示す光吸収層が少なくとも一つのパターンを形成し、該光吸収層のパターン面の一部に赤外線吸収層を形成してなることを特徴とする偽造防止媒体。
【請求項３】
二種またはそれ以上の種類の薄膜が交互に積層された虹彩性多層フィルムの裏面に、目視に対しては隠蔽性を示すが赤外線に対しては透過性を示す光吸収層が少なくとも一つのパターンを形成し、前記虹彩性多層フィルムの裏面と光吸収層のパターンの間の一部に光吸収層と略同色の赤外線吸収層を形成してなることを特徴とする偽造防止媒体。
【請求項４】
上記請求項１、２または３のいずれかに記載の偽造防止媒体の光吸収層側に粘着層が設けられていることを特徴とする偽造防止シール。
【請求項５】
被判定品には上記請求項１、２または３のいずれかに記載の偽造防止媒体を利用して、被判定品がもし該偽造防止媒体であれば赤外線吸収層が形づくるパターンが目視に対しては識別できず、赤外線を用いた読み取りに対しては識別可能であることを用いて、該被判定品の不正の有無の判定に利用することを特徴とする偽造防止媒体を用いた不正判定方法。
【請求項６】
被判定品には上記請求項４の偽造防止シールをその粘着層を用いて貼りつけておくことにより、被判定品がもし該偽造防止シールであれば、赤外線吸収層のパターンが目視に対しては識別できず、赤外線を用いた読み取りに対しては識別可能であることを用いて、該被判定品の不正の有無の判定に利用することを特徴とする偽造防止シールの不正判定方法。
【発明の詳細な説明】
【０００１】
【発明の属する技術分野】
本発明は、虹彩色を呈すると共に目視角度を変えることにより色相が異なって観察される偽造防止媒体および偽造防止シールならびにそれらを用いた不正判定方法に関するものであり、特に複写機などによる忠実な複製を防止できるようにし、隠蔽されていたパターンが赤外線カメラ等により認識できるようにした偽造防止媒体および偽造防止シールならびにそれらを用いた不正判定方法に関するものである。
【０００２】
【従来の技術】
従来、偽造を防止する手段は物品そのものを真似することが困難なものとするか、或いは真似することが困難なものを本物であることの証明として物品に取り付けることにより、本物と偽物を区別できるようにするものがある。この後者の代表的なものとして、近年多用されているレリーフ型ホログラム、回折格子、リップマン型ホログラムなどのホログラムがある。この中で、例えばレリーフ型ホログラムは、画像を微細な凹凸状に形成したものであり、これにより光の回折と干渉により、見る角度（すなわち、ホログラムを支持している角度）に応じて、固有のカラーシフト（反射光の色変化）を生じ、観察する位置により見える色が異なるものであるため、その状態の有無を確認することにより、真正物であるか否かを容易に判定することができる。ところが、近年では上述のようなホログラムは、ホログラム原理や層など構成が簡単であるため、偽造されやすくなりつつあることから、これによる偽造防止効果も薄れてきている。
【０００３】
そこで、このホログラムと同様の見る角度によるカラーシフト（反射光の色変化）の効果を有するものとして、基材にセラミックスや金属などの薄膜で、例えば光学特性の異なるものを積層した多層薄膜層がある（例えば、特許文献１参照。）。
【０００４】
【特許文献１】
特開平７−１４６６５０号公報
【０００５】
これらは薄膜の光学特性と膜厚により得られる光の干渉を利用したものであり、特定の波長領域に反射・透過特性を有し、観察する位置により、この反射・透過特性が変化し、見える色が異なるため、その状態の有無確認することにより、真正物であるか否かを用意に判定することができる。また多層膜を形成する基材が透明フィルムのままでは色の変化がわかりづらいこともあって、多層膜の下地として黒等の濃色の着色層または金属反射膜を付加する場合がある。
【０００６】
これらのカラーシフト（反射光の色変化）において、視角による色変化は偽造物にたいして真偽の判定を可能とし、とくにコピー機、カラーコピー機などにより不正に複写したものではその光学特性を再現することが不可能であるため、偽造・変造を困難とし、偽造・変造されたとしても、その使用を諦めさせる効果を有する。
【０００７】
その形態は、例として媒体、シール、または転写箔、転写シートとして、多層薄膜層を保持し、これらを粘着、または転写により、所望の物品にホログラムを形成するものである。さらにより高いセキュリティの付加として、とくに層構成を考慮し、シールを剥離困難とするか、或いは脆性シールのような剥離後再生困難となるように構成されており、一度貼り付けた後、これを剥離するとホログラムの一部もしくは全体が破壊されることで、偽造だけでなく、改竄など物品に何らかの手が加えられたことが、一目で判別できるようにしたものである。
【０００８】
しかしながら、基材にセラミックスや金属などの薄膜で、光学特性の異なるものを積層した多層薄膜層の安定製造は難しく、特に広い面積を所定の膜厚にて何層にも形成するためには、コスト高になる問題がある。
【０００９】
一方、下方に位置する印刷パターンの識別が目視では不可能な程度に遮蔽するが、赤外線センサーで読み取り可能な程度の赤外線は透過する隠蔽層を持つ隠蔽シールは、赤外領域も吸収するインキで印刷されたマーク、サインもしくはバーコードをもつ商品券の所定部分を隠蔽するために使用されている。この隠蔽シール下に隠蔽されたマーク等は目視では見えないが赤外線カメラや赤外線センサーを用いると認識が可能なため、偽造防止の点から注目されている。しかし、この種の従来の隠蔽シールは、目視ではシールの下に印刷されているマークやバーコードは見えないが、貼り付けられている隠蔽シールの存在自体が不自然であり、このシールの下に何か偽造防止対策を施しているということを自ら示唆してしまい、改ざんを招く危険性をはらむという問題がある。
【００１０】
上述のように、隠蔽シールにはその下に隠されたマークやバーコードを目視では見えないようにする役割があり、それにより偽造を防止する効果はあるが、反面隠蔽層により前記の有価証券や印刷物等のデザイン性を損ないやすい傾向があり、またこのシールが偽造防止対策を施しているということを自ら示しており、改ざんの危険性が高いという問題がある。
【００１１】
【発明が解決しようとする課題】
本発明は、かかる従来技術の問題点を解決するものであり、その課題とするところは、多層膜の材料としてセラミックスや金属などの薄膜ではなく、二種以上のプラスチックフィルムを多層に積層し一定の条件下で延伸することで同様のカラーシフト効果をもつ虹彩性多層フィルムを使用し、裏面に光吸収層を設けることにより大きくカラーシフトするため、表面から見た真偽判定が目視にて容易に可能である。また、下層の光吸収層が赤外線吸収層と赤外線吸収層でない２種類の層からなり、目視に対しては光吸収層と赤外線吸収層は識別できないが、赤外線を用いた読み取りに対しては両層の識別が可能であり、さらに光吸収層として設けてあるので、通常の状態では赤外線吸収層の存在を示唆しないようにしてなるため、偽造、変造、または改ざんなどの不正行為が困難な偽造防止媒体および偽造防止シールならびにそれらを用いた不正判定方法を提供することにある。
【００１２】
【課題を解決するための手段】
本発明に於いて上記課題を達成するために、まず請求項１の発明では、二種またはそれ以上の種類の薄膜が交互に積層された虹彩性多層フィルムの裏面に、目視に対しては隠蔽性を示すが赤外線に対しては透過性を示す光吸収層と該光吸収層と略同色の赤外線吸収層とで少なくとも一つのパターンを形成してなることを特徴とする偽造防止媒体としたものである。
【００１３】
また、請求項２の発明では、二種またはそれ以上の種類の薄膜が交互に積層された虹彩性多層フィルムの裏面に、目視に対しては隠蔽性を示すが赤外線に対しては透過性を示す光吸収層が少なくとも一つのパターンを形成し、該光吸収層のパターン面の一部に赤外線吸収層を形成してなることを特徴とする偽造防止媒体としたものである。
【００１４】
また、請求項３の発明では、二種またはそれ以上の種類の薄膜が交互に積層された虹彩性多層フィルムの裏面に、目視に対しては隠蔽性を示すが赤外線に対しては透過性を示す光吸収層が少なくとも一つのパターンを形成し、前記虹彩性多層フィルムの裏面と光吸収層のパターンの間の一部に光吸収層と略同色の赤外線吸収層を形成してなることを特徴とする偽造防止媒体としたものである。
【００１５】
また、請求項４の発明では、上記請求項１、２または３のいずれかに記載の偽造防止媒体の光吸収層側に粘着層が設けられていることを特徴とする偽造防止シールとしたものである。
【００１６】
また、請求項５の発明では、被判定品には上記請求項１、２または３のいずれかに記載の偽造防止媒体を利用して、被判定品がもし該偽造防止媒体であれば赤外線吸収層が形づくるパターンが目視に対しては識別できず、赤外線を用いた読み取りに対しては識別可能であることを用いて、該被判定品の不正の有無の判定に利用することを特徴とする偽造防止媒体を用いた不正判定方法としたものである。
【００１７】
さらにまた、請求項５の発明では、被判定品には上記請求項４の偽造防止シールをその粘着層を用いて貼りつけておくことにより、被判定品がもし該偽造防止シールであれば、赤外線吸収層のパターンが目視に対しては識別できず、赤外線を用いた読み取りに対しては識別可能であることを用いて、該被判定品の不正の有無の判定に利用することを特徴とする偽造防止シールの不正判定方法としたものである。
【００１８】
【発明の実施の形態】
以下本発明の実施の形態を図面を用いて詳細に説明する。
【００１９】
図１は、本発明の偽造防止媒体の一事例を示す上面の説明図であり、図２は図１のＸ−Ｘ面の断面図であり、図３、図４は本発明の偽造防止媒体の他の一事例を示す断面の説明図である。また図５は図１の偽造防止媒体を目視で見たときに観察される状態を示す説明図であり、図６は図１の偽造防止媒体を赤外線カメラで観察される状態を示す説明図である。さらにまた、図７は、本発明の偽造防止シールの一事例を示す上面の説明図であり、図８は図７のＸ−Ｘ面の断面図であり、図９は図７の偽造防止シールを目視で見たときに観察される上面図であり、図１０は図７の偽造防止シールを赤外線カメラで観察される状態を示す上面の説明図である。
【００２０】
例えば図１、図２に示すように、上記請求項１に係る発明の偽造防止媒体１は、虹彩性多層フィルム３からなり、虹彩性多層フィルム３の裏面に光吸収層４と、この光吸収層４と略同色の赤外線吸収層５とで丸パターンと文字パターン（ＢＰ−ＬＡＢＥＬ）が形成されているものである。
【００２１】
また、例えば図３に示すように、上記請求項２に係る発明の偽造防止媒体１は、虹彩性多層フィルム３からなり、虹彩性多層フィルム３の裏面に光吸収層４で丸パターンと文字パターン（ＢＰ−ＬＡＢＥＬ）が形成され、それらパターンの一部に赤外線吸収層５が形成されているものである。
【００２２】
また、例えば図４に示すように、上記請求項３に係る発明の偽造防止媒体１は、虹彩性多層フィルム３からなり、虹彩性多層フィルム３の裏面に光吸収層４で丸パターンと文字パターン（ＢＰ−ＬＡＢＥＬ）が形成され、この虹彩性多層フィルム３の裏面と光吸収層４のそれぞれのパターンの間の一部に赤外線吸収層５が形成されているものである。
【００２３】
また、例えば図７、図８に示すように、上記請求項４に係る発明の偽造防止シール２は、虹彩性フィルム３からなり、その裏面に赤外線を吸収しない光吸収層４で丸パターンと文字パターン（ＢＰ−ＬＡＢＥＬ）が形成されていて、その一部に赤外線吸収層５が形成されている偽造防止媒体１の光吸収層４側に粘着層６が積層されているものである。
【００２４】
上記虹彩性フィルム３は、屈折率の異なる２種類以上のポリマーを交互に積層したものである。積層材料として用いられるポリマーとしては、高屈折率ポリマーとして、ＰＥＮ（１．６３＝屈折率ｎ：以下同じ）、ＰＣ（１．５９）、ＰＳｔ（１．５９）、ＰＥＴ（１．５８）などがあり、また低屈折率ポリマーとしてＮｙ（１．５３）、ＰＭＭＡ（１．４９）、ポリメチルペンテン（１．４６）、フッ素系ＰＭＭＡ（１．４）などがある。これらのポリマーの中から高屈折率材料より少なくとも一種、低屈折率材料より少なくとも一種選択し、所定の厚さで交互に積層させることにより特定の波長の可視光に対する吸収あるいは反射を示すものである。
【００２５】
また、上記光吸収層４は、上記虹彩性多層フィルム３の光学特性をより強調させるために設けるもので、虹彩性多層フィルム３はその膜厚により特定の波長を吸収させ、それ以外の波長を反射させる性質を持っているが、前記吸収波長を光吸収層４にて吸収することにより、より鮮明に反射波長のみが見えることになる。この光吸収層４としては、虹彩性多層フィルム３によって吸収される光の波長を吸収できる色で赤外線に対して透過性を示すものであれば特に限定はしないが、一般的には赤外線吸収物質を含まない濃色の色を用い、さらに好ましくは黒色が使用される。
【００２６】
また、上記赤外線吸収層５としては、赤外線吸収物質、例えば五二酸化リンを主成分とする酸化鉄あるいは酸化銅あるいは両者を含むリン酸結晶粉末、五二酸化リンを主成分とし鉄イオンまたは銅イオンを含むガラス系粉末、金属錯体の赤外線吸収材あるいはカーボンブラック等を多く含むインキ等を用いることができ、上記請求項１及び請求項３に係る発明のように光吸収層４と略同色の赤外線吸収層５とするには、例えば光吸収層４に用いられている有色顔料と上記赤外線吸収物質とを混合したものを分散させたインキとして使用することができる。
【００２７】
また、例えば図５及び図９に示すように、上記請求項１に係る発明の偽造防止媒体１及び上記請求項４に係る発明の偽造防止シート２の表面から見たときの目視で観察できる様子であり、赤外線を吸収しない光吸収層４と赤外線吸収層５が丸パターンと文字パターン（ＢＰ−ＬＡＢＥＬ）として同様の色として見えるが、図６及び図１０は赤外線カメラで観察できる様子であり、赤外線吸収層５のみが見え、赤外線を吸収しない光吸収層４は見ることができないもので、上記請求項５及び請求項６に係る発明の偽造防止媒体１及び偽造防止シート２の不正を判定することが出来る不正判定方法である。
【００２８】
上記粘着層６としては、接する光吸収層４、赤外線吸収層５あるいは虹彩性フィルム３を変質させたり、侵したりするものでなければ、一般的な接着材料を用いることができる。例えば、塩化ビニルー酢酸ビニル共重合体、ポリエステル系ポリアミド、アクリル系、ブチルゴム系、天然ゴム系、シリコン系、ポリイソブチル系の粘着剤を単独、もしくはアルキルメタクリレート、ビニルエステル、アクリルにトリル、スチレン、ビニルモノマー等の凝集成分、不飽和カルボン酸、ヒドロキシ基含有モノマー、アクリルニトリル等に代表される改質成分や重合開始剤、可塑剤、硬化剤、硬化促進剤、酸化防止剤等の添加剤を必要に応じて添加したものを用いることが出来る。この粘着層６の形成には公知のグラビア印刷法、オフセット印刷法、スクリーン印刷法などの印刷方法やバーコート法、ロールコート法などの塗布方法等も用いることができる。
【００２９】
【実施例】
次に実施例により、本発明を具体的に説明する。
〈実施例１〉
ＰＥＴとＰＥＮとの二種の膜でなる厚さ１９μｍの虹彩性多層フィルムの裏面にカーボンブラック含有のプロセス墨インキを用いてオフセット印刷法により赤外線吸収層を印刷し、次に下記［光吸収層の組成］からなるインキをオフセット印刷法で厚さ３μｍ（ｗｅｔ）の光吸収層を印刷し、この赤外線吸収層と光吸収層とで一つのパターンを形成して偽造防止媒体とし、この偽造防止媒体の光吸収層側に、下記［粘着層の組成］からなる粘着剤をグラビア法で厚さ１０μｍ（ｗｅｔ）に形成して粘着層とし、その粘着層面に離型紙と合わせ、所定の大きさに断裁し、偽造防止シールを得た。
【００３０】
［光吸収層の組成］
紫外線硬化型オフセットインキ：
ＦＤ  ＯＬ  ＴＣ混色スミ（東洋インキ製造社製）      １００部
［粘着層の組成］
アクリル系樹脂：
ＢＰＳ５１６０（東洋インキ製造社製）                  ６０部
希釈溶剤：
ＶＣ２０２Ｃ溶剤（東洋インキ製造社製）                ４０部
【００３１】
上記で得られた偽造防止シールを表面から見ると、シールが貼られた部分が虹彩色を呈しており、目視角度を変えることで色が変わって見えた。さらに、その下層の光吸収層が光学特性をより強調させるために設けているため不自然ではなく、しかも高級感をもって虹彩色で彩られて観察できた。これに対し、複製品は虹彩性多層フィルムの部分の色変化がなく、再現されないことにより偽造行為を容易に発見することが出来た。また、その下層にあるカーボンブラック含有のプロセス墨インキで印刷された赤外線吸収層を目視では赤外線を透過する光吸収層と区別することができないため、確認することができず、赤外線カメラで観察したところ確認することができ、より一層の偽造防止効果のあるものであった。
【００３２】
【発明の効果】
本発明は以上の構成であるから、下記に示す如き効果がある。
即ち、上記本発明の偽造防止媒体は、目視角度によって色が変化する虹彩性多層フィルムを使用し、目視角度によって色が変化することにより、カラーコピー機等による偽造、改竄、あるいは変造などの不正行為を防止することができ、さらに虹彩性多層フィルムの下層に、パターン状に印刷した赤外線吸収層と赤外線に対しては透過性を示す光吸収層では目視に対しては区別がつかないが、赤外線カメラで観察することにより赤外線吸収層のパターンを読み取ることができるので、より一層の偽造防止効果のある偽造防止媒体及び偽造防止シール並びにそれらを用いた不正判定方法を提供できる効果がある。
【００３３】
従って本発明は、虹彩色を呈すると共に目視角度を変えることにより色相が異なって観察される偽造防止媒体および偽造防止シールならびにそれらを用いた不正判定方法として、優れた実用上の効果を発揮する。
【図面の簡単な説明】
【図１】本発明の偽造防止媒体の一実施の形態を示す上面図である。
【図２】本発明の偽造防止媒体の一実施の形態を示すもので、図１のＸ−Ｘ面の断面図である。
【図３】本発明の偽造防止媒体の他の一実施の形態を示す側断面図である。
【図４】本発明の偽造防止媒体の他の一実施の形態を示す側断面図である。
【図５】本発明の偽造防止媒体の一事例を表面から目視で観察される状態を示す上面図である。
【図６】本発明の偽造防止媒体の一事例を赤外線カメラで観察される状態を示す上面図である。
【図７】本発明の偽造防止シールの一実施の形態を示す上面図である。
【図８】本発明の偽造防止シールの一実施の形態を示すもので、図７のＸ−Ｘ面の断面図である。
【図９】本発明の偽造防止シールの一事例を表面から目視で観察される状態を示す上面図である。
【図１０】本発明の偽造防止シールの一事例を赤外線カメラで観察される状態を示す上面図である。
【符号の説明】
１‥‥偽造防止媒体
２‥‥偽造防止シール
３‥‥虹彩性多層フィルム
４‥‥光吸収層
５‥‥赤外線吸収層
６‥‥粘着層
【図１】
2004333884.tif 000003
【図２】
2004333884.tif 000004
【図３】
2004333884.tif 000005
【図４】
2004333884.tif 000006
【図５】
2004333884.tif 000007
【図６】
2004333884.tif 000008
【図７】
2004333884.tif 000009
【図８】
2004333884.tif 000010
【図９】
2004333884.tif 000011
【図１０】
2004333884.tif 000012